(57)【要約】【課題】機械装置の操作部情報の取得を容易にし、操作性向上および情報伝達量向上を実現する。【解決手段】操作部情報取得システムは、操作部に設けられ、当該操作部の操作部情報が書き込まれた無線ＩＣタグと、前記無線ＩＣタグから前記操作部情報を読み取るリーダと、前記リーダと通信可能に接続されている情報処理端末とを備える。リーダは、前記操作部に設けられた前記無線ＩＣタグに近接することにより、前記無線ＩＣタグに書き込まれた前記操作部情報を取得する操作部情報取得手段を有する。情報処理端末は、前記リーダが取得した前記操作部情報を、前記リーダから保存可能に取得する操作部情報保存手段と、前記リーダから取得した前記操作部情報の種類に基づいて、ユーザに対して最適な伝達方法に変換し、知覚可能に出力する方法変換出力手段とを有する。【選択図】図１
2008033770.tif 000002
【特許請求の範囲】
【請求項１】
操作部に設けられ、当該操作部の操作部情報が書き込まれた無線ＩＣタグと、前記無線ＩＣタグから前記操作部情報を読み取るリーダと、前記リーダと通信可能に接続されている情報処理端末とを備え、
前記リーダは、
前記操作部に設けられた前記無線ＩＣタグに近接することにより、前記無線ＩＣタグに書き込まれた前記操作部情報を取得する操作部情報取得手段を有し、
前記情報処理端末は、
前記リーダが取得した前記操作部情報を、前記リーダから保存可能に取得する操作部情報保存手段と、
前記リーダから取得した前記操作部情報の種類に基づいて、ユーザに対して最適な伝達方法に変換し、知覚可能に出力する方法変換出力手段と
を有することを特徴とする操作部情報取得システム。
【請求項２】
前記操作部情報は、
少なくとも前記操作部が動画によって再生される画像情報、又は、前記操作部の操作方法が音声によって再生される音声情報を含み、
前記情報処理端末の前記方法変換出力手段は、
前記操作部情報に含まれる前記画像情報、又は前記音声情報に基づいて、前記動画、又は前記音声によってユーザに対して知覚可能に出力する
ことを特徴とする請求項１記載の操作部情報取得システム。
【請求項３】
前記リーダが前記情報処理端末に一体として設けられ、当該一体の情報処理端末が携帯型情報処理端末に組み込まれることを特徴とする請求項１又は２記載の操作部情報取得システム。
【請求項４】
前記リーダと、前記情報処理端末とに通信可能なデータベースを更に有し、
前記リーダは、
前記無線ＩＣタグから読み取った前記操作部情報を、前記データベースへ転送して当該データベースに前記操作部情報を保存するデータベース保存手段を更に有し、
前記情報処理端末は、
前記データベースに保存された前記操作部情報を取得するデータベース情報取得手段を更に有し、
当該操作部情報の種類に基づいて、ユーザに対して知覚可能に出力する
ことを特徴とする請求項１乃至３記載の操作部情報取得システム。
【請求項５】
前記情報処理端末の前記方法変換出力手段は、
前記伝達方法をユーザによって予め設定された伝達方法に自動的に変換し、前記操作部情報を当該ユーザに対して知覚可能に出力する
ことを特徴とする請求項１乃至４記載の操作部情報取得システム。
【請求項６】
操作部に設けられ、当該操作部の操作部情報が書き込まれた無線ＩＣタグと、前記無線ＩＣタグから前記操作部情報を読み取るリーダと、前記リーダと通信可能に接続されている情報処理端末とを備えた操作部情報取得方法において、
前記リーダが、前記操作部に設けられた前記無線ＩＣタグに近接することにより、前記無線ＩＣタグに書き込まれた前記操作部情報を取得し、
前記情報処理端末が、前記リーダが取得した前記操作部情報を、前記リーダから保存可能に取得し、
前記情報処理端末が、前記リーダから取得した前記操作部情報の種類に基づいて、ユーザに対して最適な伝達方法に変換し、知覚可能に出力することを特徴とする操作部情報取得方法。
【請求項７】
前記操作部情報は、
少なくとも前記操作部が動画によって再生される画像情報、又は、前記操作部の操作方法が音声によって再生される音声情報を含み、
前記情報処理端末は、
前記操作部情報に含まれる前記画像情報、又は前記音声情報に基づいて、前記動画、又は前記音声によってユーザに対して知覚可能に出力する請求項６記載の操作部情報取得方法。
【請求項８】
前記リーダが前記情報処理端末に一体として設けられ、当該一体の情報処理端末が携帯型情報処理端末に組み込まれることを特徴とする請求項６又は７記載の操作部情報取得方法。
【請求項９】
前記リーダと、前記情報処理端末とに通信可能なデータベースを更に有し、
前記リーダが、前記無線ＩＣタグから読み取った前記操作部情報を、前記データベースへ転送して当該データベースに前記操作部情報を保存すると共に、
前記情報処理端末が、前記データベースに保存された前記操作部情報を取得し、当該操作部情報の種類に基づいて、ユーザに対して知覚可能に出力することを特徴とする請求項６乃至８記載の操作部情報取得方法。
【請求項１０】
前記情報処理端末は、前記伝達方法をユーザによって予め設定された伝達方法に自動的に変換し、前記操作部情報を当該ユーザに対して知覚可能に出力することを特徴とする請求項６乃至９記載の操作部情報取得方法。
【発明の詳細な説明】
【技術分野】
【０００１】
本発明は、操作部情報取得システム及び操作部情報取得方法において、特に、機械装置の操作部から操作部情報を取得する操作部情報取得システム及び操作部情報取得方法に関する。
【背景技術】
【０００２】
従来、ユーザが、操作部を備えた機械装置の操作をする際には、その機械装置の設けられた場所において、直接、その操作キーの操作を行っていた。
【０００３】
従って、ユーザが機械装置の操作部に設けられたスイッチやキーを操作する場合には、その操作説明が機械装置の操作部において視覚的に表示された説明であったり、もしくは印刷や点字などによって簡単に表現された情報伝達方法により、操作部の操作説明がなされていた。
【０００４】
このため、機械装置の操作部によっては、視覚的に情報が取得出来ない場合や、機械操作に不慣れなユーザが機械装置の操作をするには情報量が乏しい場合があり、操作方法が容易に把握できない状態になることがあった。
【０００５】
また、操作部情報や操作方法を細かく説明する場合や、或いは詳細な仕組みを準備しようとする場合には、機械装置毎に操作部を説明するための情報設備を用意する必要が生じるため、専用設備が必要となりコスト高になってしまう。
【０００６】
そこで、機械装置の機器操作管理方法として、特許文献１に記載された発明が開示されている。
【特許文献１】特開２００５−２５１０３２号公報
【発明の開示】
【発明が解決しようとする課題】
【０００７】
特許文献１には、発電所や変電所などに設置された電力設備の運用の為に操作部を備えた機械装置についての発明が示されている。
【０００８】
この特許文献１に記載された発明では、操作指示データを記憶する通信端末が、作業員の携帯する携帯型電子装置へ操作指示データを送信し、携帯型電子装置がその操作指示データを受信すると、その操作指示データを基に携帯型電子装置が機器に付されたＩＣタグから識別子を取得して、操作対象機器であるか否かを判断すると共に、操作対象機器であった場合には、その旨が携帯型電子装置に表示されるというものである。
【０００９】
しかしながら、この特許文献１に記載された発明では、特許文献１の図１０及び図１１から明らかなように、ＩＣタグに付された識別子によって操作対象機器と操作指示データとの適否を判断し、その適否のみが表示されるようになっている。
【００１０】
また特許文献１に記載された発明では、操作指示を送信する通信端末と、操作指示を受信する携帯型電子装置と、現場の機器に付されたＩＣタグとから構成されている。
【００１１】
このため、特許文献１に記載された機器操作管理方法では、常に通信端末から携帯型電子装置へ操作指示データを送信する必要があり、その操作指示データと操作対象機器に付されたＩＣタグの識別子が合致した場合のみ、合致した旨のみが携帯型電子装置に表示されるようになっている。
【００１２】
従って、操作対象機器以外の機器にあっては、機械装置の操作部の情報を取得することができず、又、ＩＣタグの識別子によって操作対象機器か否かを判断しているに過ぎないので、機械装置の操作部に設けられた操作部情報を容易に取得することができないという問題があった。
【００１３】
本発明は、上記の問題点に鑑みてなされたものであり、機械装置の操作部キーの操作部情報を取得する場合に、当該機械装置の操作部情報の取得を容易にし、操作性向上および情報伝達量を向上させるための操作部情報取得システム及び操作部情報取得方法を提供することを目的としている。
【課題を解決するための手段】
【００１４】
本発明に係る操作部情報取得システムは、操作部に設けられ、当該操作部の操作部情報が書き込まれた無線ＩＣタグと、前記無線ＩＣタグから前記操作部情報を読み取るリーダと、前記リーダと通信可能に接続されている情報処理端末とを備え、前記リーダは、前記操作部に設けられた前記無線ＩＣタグに近接することにより、前記無線ＩＣタグに書き込まれた前記操作部情報を取得する操作部情報取得手段を有し、前記情報処理端末は、前記リーダが取得した前記操作部情報を、前記リーダから保存可能に取得する操作部情報保存手段と、前記リーダから取得した前記操作部情報の種類に基づいて、ユーザに対して最適な伝達方法に変換し、知覚可能に出力する方法変換出力手段とを有することを特徴とする。
【００１５】
また本発明に係る操作部情報取得システムは、前記操作部情報が、少なくとも前記操作部が動画によって再生される画像情報、又は、前記操作部の操作方法が音声によって再生される音声情報を含み、前記情報処理端末の前記方法変換出力手段が、前記操作部情報に含まれる前記画像情報、又は前記音声情報に基づいて、前記動画、又は前記音声によってユーザに対して知覚可能に出力するようにしても良い。
【００１６】
また本発明に係る操作部情報取得システムは、前記リーダが前記情報処理端末に一体として設けられ、当該一体の情報処理端末が携帯型情報処理端末に組み込まれるようにしても良い。
【００１７】
また本発明に係る操作部情報取得システムは、前記リーダと、前記情報処理端末とに通信可能なデータベースを更に有し、前記リーダが、前記無線ＩＣタグから読み取った前記操作部情報を、前記データベースへ転送して当該データベースに前記操作部情報を保存するデータベース保存手段を更に有し、前記情報処理端末が、前記データベースに保存された前記操作部情報を取得するデータベース情報取得手段を更に有し、当該操作部情報の種類に基づいて、ユーザに対して知覚可能に出力するようにしても良い。
【００１８】
また本発明に係る操作部情報取得システムは、前記情報処理端末の前記方法変換出力手段が、前記伝達方法をユーザによって予め設定された伝達方法に自動的に変換し、前記操作部情報を当該ユーザに対して知覚可能に出力するようにしても良い。
【００１９】
本発明に係る操作部情報取得方法は、操作部に設けられ、当該操作部の操作部情報が書き込まれた無線ＩＣタグと、前記無線ＩＣタグから前記操作部情報を読み取るリーダと、前記リーダと通信可能に接続されている情報処理端末とを備えた操作部情報取得方法において、前記リーダが、前記操作部に設けられた前記無線ＩＣタグに近接することにより、前記無線ＩＣタグに書き込まれた前記操作部情報を取得し、前記情報処理端末が、前記リーダが取得した前記操作部情報を、前記リーダから保存可能に取得し、前記情報処理端末が、前記リーダから取得した前記操作部情報の種類に基づいて、ユーザに対して最適な伝達方法に変換し、知覚可能に出力することを特徴とする。
【００２０】
また本発明に係る操作部情報取得方法は、前記操作部情報が、少なくとも前記操作部が動画によって再生される画像情報、又は、前記操作部の操作方法が音声によって再生される音声情報を含み、前記情報処理端末が、前記操作部情報に含まれる前記画像情報、又は前記音声情報に基づいて、前記動画、又は前記音声によってユーザに対して知覚可能に出力するようにしても良い。
【００２１】
また本発明に係る操作部情報取得方法は、前記リーダが前記情報処理端末に一体として設けられ、当該一体の情報処理端末が携帯型情報処理端末に組み込まれるようにしても良い。
【００２２】
また本発明に係る操作部情報取得方法は、前記リーダと、前記情報処理端末とに通信可能なデータベースを更に有し、前記リーダが、前記無線ＩＣタグから読み取った前記操作部情報を、前記データベースへ転送して当該データベースに前記操作部情報を保存すると共に、前記情報処理端末が、前記データベースに保存された前記操作部情報を取得し、当該操作部情報の種類に基づいて、ユーザに対して知覚可能に出力するようにしても良い。
【００２３】
また本発明に係る操作部情報取得方法は、前記情報処理端末が、前記伝達方法をユーザによって予め設定された伝達方法に自動的に変換し、前記操作部情報を当該ユーザに対して知覚可能に出力するようにしても良い。
【発明の効果】
【００２４】
本発明によれば、無線ＩＣタグには、各種情報の読み込み・書き込み機能があるので、この無線ＩＣタグが実装された機械装置の各操作キーについて、機能情報・操作部情報・製品情報等の各種情報を持たせることができ、無線ＩＣタグが実装された各操作キーの各種情報を操作者の情報処理端末によって簡単に取得できると共に、操作者が容易に各種情報を取得・認識できるので、操作性向上および情報伝達量向上を実現することができる。
【発明を実施するための最良の形態】
【００２５】
本発明は、操作部情報取得システムにおいて、無線ＩＣ（integrated circuit）タグを利用し、機械装置操作部の情報を容易に取得することを可能にしたことを特徴としている。
【００２６】
以下、本発明による実施の形態について、図面を用いて詳細に説明する。
（第１の実施の形態）
（１）操作部情報取得システムの全体構成
図１は、本発明による第１の実施の形態として、操作部情報取得システムの構成をブロック図で示したものである。
【００２７】
図１に示す操作部情報取得システムは、被操作対象の機械装置に設けられた操作部の操作キー１と、その操作キー１の操作方法マニュアルや操作説明を行う動画情報、その他の各種情報を保存した無線ＩＣタグ２と、ユーザの指に取り付けられたＩＣタグリーダ３と、操作者用個人端末４とが設けられている。
【００２８】
操作キー１は、機械装置を操作する操作部に設けられており、ユーザによって操作され、機械装置を操ることができる。
【００２９】
無線ＩＣタグ２には、操作キー１の操作説明を行う動画情報をはじめ、操作方法マニュアルや保守管理確認マニュアルなどの説明書、操作方法が音声によって説明された音声情報、機械装置全体の画像情報や、操作キー１の部分的に詳細な画像情報等の各種操作部情報が保存されている。
【００３０】
ＩＣタグリーダ３は、無線ＩＣタグ２に保存された操作キー１の操作説明を行う動画情報や、操作方法マニュアルや保守管理確認マニュアルなどの説明書、操作方法が音声によって説明された音声情報等の各種操作部情報を、読み出すようになっている。
【００３１】
操作者用個人端末４は、ＩＣタグリーダ３とケーブル（図示せず）によって接続されており、情報収集部５と、主演算部６と、情報データベース７と、情報伝達部８とを備えている。
【００３２】
そして操作者用個人端末４は、ＩＣタグリーダ３が読み出した各種操作部情報を、情報収集部５を介して取得すると共に、情報データベース７に保存する。
【００３３】
また情報データベース７に保存された各種操作部情報は、操作者の操作に基づいて、操作説明を行う動画情報、操作方法マニュアル、音声情報、或いは画像情報などが主演算部６で処理され、情報伝達部８から操作者に対して出力されるようになっている。
【００３４】
情報伝達部８は、操作方法マニュアルを動画にて表示する液晶ディスプレイ（図示せず）や、操作方法を音声で出力するスピーカ（図示せず）又はヘッドフォン（図示せず）等を備えており、必要に応じて操作者に知覚させる他の装置を設けると共に、その各種情報の伝達と制御を行っている。
（２）無線ＩＣタグ２とＩＣタグリーダ３の構成
（２―１）無線ＩＣタグ２の回路構成
図２は、無線ＩＣタグ２の回路構成を示したものであり、無線ＩＣタグの全体統括制御を行うＣＰＵ（Central Processing Unit）２１に対し、ＣＰＵ２１が実行するプログラムが格納されたＲＯＭ（Read Only Memory）２２と、プログラムのロード領域及びプログラム処理におけるワーク領域として用いられるＲＡＭ（Random Access Memory）２３と、ＩＣタグリーダ３と非接触で無線通信を行うコイル型アンテナを備えたＲＦＩ／Ｆ部（radio frequency interface）２４と、各種操作部情報を記憶するＥＥＰＲＯＭ（Electrikally Erasable Programmable ROM）２５とが、バス（bus）２６を介して接続されている。
【００３５】
なお、ＥＥＰＲＯＭ２５には、操作キー１の操作説明を行う動画情報をはじめ、操作方法マニュアルや保守管理確認マニュアルなどの説明書、操作方法が音声によって説明された音声情報、機械装置全体の画像情報や操作キー１の部分的に詳細な画像情報等の各種操作部情報が記憶されているが、これらに限定されるものではなく、操作者用個人端末４で処理でき、再生や表示等できる情報ファイルとして保存できるものであれば良い。
（２−２）ＩＣタグリーダ３の回路構成
図３は、ＩＣタグリーダ３の回路構成を示したものであり、ＩＣタグリーダの全体統括制御を行うＣＰＵ３１に対し、ＣＰＵ３１が実行するプログラムが格納されたＲＯＭ３２と、プログラムのロード領域及びプログラム処理におけるワーク領域として用いられるＲＡＭ３３と、無線ＩＣタグ２と非接触で無線通信を行うコイル型アンテナを備えたＲＦＩ／Ｆ部３４と、操作者用個人端末４と各種操作部情報の通信を行うＮＷＩ／Ｆ部（network interface）３５とが、バス３６を介して接続されている。
（３）操作部情報取得処理手順
次に、図１に示した操作部情報取得システムの動作について、図４及び図５に示す操作部情報を取得するフローチャートに従って、操作部の情報を取得する操作部情報取得処理手順を詳細に説明する。
【００３６】
まず、本発明の特徴である機械装置の被操作対象の操作キー１に対する機能情報・操作部情報・製品情報などを含む各種操作部情報を記憶した無線ＩＣタグ２を、操作キー１に実装する。また操作者は、手指の先端にＩＣタグリーダ３を実装すると共に、そのＩＣタグリーダ３は、ケーブル（図示せず）で操作者用個人端末４に接続されている。
【００３７】
本実施の形態では、操作者が手指の先端に実装したＩＣタグリーダ３で、被操作対象である機械装置の操作キー１の上部をかざすことにより、図４に示す無線ＩＣタグ２の操作部情報取得処理手順を開始する。
【００３８】
ステップＳ１０において、無線ＩＣタグ２とＩＣタグリーダ３とが通信を開始する。ここで無線ＩＣタグ２は、ＩＣタグリーダ３が発生する電波の圏内に入ることによって、無線ＩＣタグ２のＲＦＩ／Ｆ部２４がコイル型アンテナから電波の変化を検出し、電波をエネルギーに変換して動力である電流を生成する。ＣＰＵ２１は、ＲＦＩ／Ｆ部２４が電流を生成することにより、ＩＣタグリーダ３と通信を行うことができる。
【００３９】
ステップＳ１１においてＣＰＵ２１は、ＥＥＰＲＯＭ２５に保存されている各種操作部情報を、バス２６とＲＦＩ／Ｆ部２４とを介してＩＣタグリーダ３に送信する。具体的には、操作キー１の操作説明を行う動画情報、操作方法マニュアル、保守管理確認マニュアル、操作キー１の画像情報、操作方法マニュアルの音声情報等の各種操作部情報をＩＣタグリーダ３へ送信する。
【００４０】
ステップＳ１２においてＣＰＵ２１は、ＩＣタグリーダ３と通信を行いながら、ＥＥＰＲＯＭ２５に保存されている各種操作部情報を全てＩＣタグリーダ３へ送信したか判定を行う。ここで肯定結果が得られた場合には、各種操作部情報の送信がすべて完了したことを示しており、ＣＰＵ２１による各種操作部情報を送信する動作は終了する。これに対し、否定結果が得られた場合には、ステップＳ１１へ戻り、ＥＥＰＲＯＭ２５に保存されている各種操作部情報の送信を継続する。
【００４１】
このように無線ＩＣタグ２は、ＥＥＰＲＯＭ２５に保存されている全ての各種操作部情報をＩＣタグリーダ３へ送信することができる。
【００４２】
一方、ＩＣタグリーダ３は、ＣＰＵ３１がＲＯＭ３２から受信用のプログラムをＲＡＭ３３に読み出して、コイル型アンテナを備えるＲＦＩ／Ｆ部３４を介して受信した各種操作部情報を、ＲＡＭ３３に保存するようになっている。
【００４３】
次に、図５を用いて操作者用個人端末４側の動作について説明する。
【００４４】
ステップＳ２０においてＩＣタグリーダ３は、無線ＩＣタグ２から取得した各種操作部情報を、ＲＡＭ３３から操作者用個人端末４へ転送する。この場合、各種操作部情報は、操作者用個人端末４の情報収集部５に取り込まれ、主演算部６を介して情報データベース７に保存される。ＩＣタグリーダ３に取り込まれた全ての各種操作部情報が操作者用個人端末４の情報データベース７に転送されると、ステップＳ２１へ移る。
【００４５】
ステップＳ２１において主演算部６は、情報データベース７に保存した各種操作部情報について表示タイプの選別を行い、各種操作部情報のファイル形式に基づいて、情報伝達部８を介して操作者に知覚させる。具体的には、情報伝達部８の液晶ディスプレイ（図示せず）に、動画情報の再生可能の旨を表示したり、音声情報の再生可能の旨を表示する。
【００４６】
ステップＳ２２において主演算部６は、操作者による入力操作を待ち受けており、表示タイプ別に操作者用個人端末４が表示する表示方法を操作者に選択させる。
【００４７】
ステップＳ２３において、無線ＩＣタグ２から取得した各種操作部情報の中から、操作キー１の操作説明を行う動画情報を表示する操作が操作者によって操作された場合には、ステップ２４へ移動し、主演算部６は操作キー１の動画情報を情報データベース７から読み出し、情報伝達部８に設けられた液晶ディスプレイ（図示せず）を介して操作者に動画を表示する。
【００４８】
これに対し、ステップＳ２３において操作キー１の操作部情報を、動画として表示する操作が行われなかった場合には、ステップＳ２５へ移動し、主演算部６は、操作キー１の操作部情報を音声として操作方法を再生するか否か判断する。
【００４９】
このステップＳ２５において操作部情報を音声として操作方法を再生する操作が行われた場合には、ステップＳ２６へ移動し、主演算部６が情報データベース７から操作キー１の操作方法について再生する音声情報を取得し、情報伝達部８においてスピーカ（図示せず）やヘッドフォン（図示せず）を用いて音声情報を再生する。
【００５０】
一方、ステップＳ２５において操作部情報を音声として操作方法が再生されなかった場合には、ステップＳ２７へ移動し、操作部の操作キー１を説明する静止画／操作マニュアルを表示するか否かを判断する。
【００５１】
このステップＳ２７において、操作キー１の操作マニュアルを表示する操作が行われた場合には、ステップＳ２８へ移動し、主演算部６が情報データベース７から操作説明書である操作マニュアルを取得すると共に、情報伝達部８に設けられた液晶ディスプレイ（図示せず）に操作マニュアルを表示する。
【００５２】
これに対し、ステップＳ２７において操作マニュアルを表示する操作が行われなかった場合には、本実施の形態では終了する。
【００５３】
なお、ステップＳ２３、ステップＳ２５、及びステップＳ２７において、各種の操作部情報を再生／表示する操作によって、主演算部６が情報データベース７から該当する情報を取得するようになっていたが、本発明はこれに限らず、主演算部６は情報データベース７から予め各種の操作部情報を一時的に読み出して、各種操作部情報の再生／表示を選択する選択ボタン（図示せず）によって表示方法が選択されることにより、選択された情報のみを再生／表示するようにしても良い。
【００５４】
また、操作キー１の操作部情報として、動画情報、音声情報、静止画である操作マニュアルについて例示したが、本実施の形態では、表示や再生を行う情報に対する固定順位を表すものではなく、表示方法を選択する順番を任意に入れ替えることができる。
【００５５】
更に、動画情報と音声情報を併用して同時に再生するようにしても良く、また静止画である操作マニュアルを表示すると共に、音声情報によって同時に再生するように併用しても良い。
（４）動作及び効果
以上の構成において、操作者は、手指の先端に実装されたＩＣタグリーダ３を被操作対象である機械装置の操作キー１の上部にかざすことにより、操作キー１に実装された無線ＩＣタグ２から各種操作部情報を読み取ることができる。
【００５６】
また操作者用個人端末４は、ＩＣタグリーダ３から各種操作部情報を情報収集部５に取り込み、主演算部６を介して各種操作部情報を情報データベースに保存することができる。
【００５７】
これにより、主演算部６は、操作者の操作に基づいて、情報データベース７から操作キー１の操作に必要な情報を取捨選択し、操作者にとって最適な情報伝達方法に変換すると共に、情報伝達部８により画像情報、或いは音声情報を操作者に最適な方法によって容易に取得させることができる。
【００５８】
また、本実施の形態において、各種操作部情報は、動画情報や音声情報に限定されるものではなく、振動を用いたバイブレーション機能によって操作者に知覚させるようにしても良い。
【００５９】
以上説明したように、本実施の形態によれば、無線ＩＣタグ３に設けられたＥＥＰＲＯＭ２５を利用することにより、各種情報の読み込み・書き込み機能を備えることができるので、無線ＩＣタグが実装された機械装置の各操作キー自体に機能情報・操作部情報・製品情報等の各種情報を持たせることができる。
【００６０】
また本実施の形態によれば、無線ＩＣタグが実装された各操作キーの各種情報を操作者個人端末４によって簡単に取得できるので、操作者は容易に各種情報を取得・認識でき、操作性向上および情報伝達量の向上を実現することができる。
【００６１】
更に本実施の形態によれば、被操作対象の機械装置の操作キー１に各種情報を書き込んだ無線ＩＣタグ３を埋め込むだけの構造にしているので、本発明に対応する機械装置を簡単かつ安価に作る事ができる。
（他の実施の形態）
本発明の他の実施形態として、その基本的構成は上記の通りであるが、操作者個人端末４についてさらに工夫して、その構成例を以下に示す。
【００６２】
操作部情報取得システムのＩＣタグリーダ３及び操作者用個人端末４を、携帯電話やＰＤＡ（persnal digital assistant）等の携帯型情報端末に付加機能として実装する。
【００６３】
これにより、操作者は、当システムが付加された携帯型情報端末を、被操作対象の機械装置の操作キー１にかざすことにより、操作キー１に実装された無線ＩＣタグ２から各種情報を読み取ることができ、当システムが付加された携帯型情報端末によって操作者に最適な情報伝達方法として画像情報・音声情報・振動等の操作者の希望に応じた最適な方法により、各種情報を容易に取得することが出来る。
【００６４】
また、本発明の他の実施の形態として、ＩＣタグリーダ３と、操作者用個人端末４との間に各種操作部情報を保存するデータベースを設けるようにしても良い。
【００６５】
この場合、無線ＩＣタグ２と、ＩＣタグリーダ３と、追加されたデータベースと、操作者用個人端末４とによって、操作部情報取得システムを実施することができる。
【００６６】
これにより、無線ＩＣタグ２から取得した各種操作部情報を、追加されたデータベースに保存することできるので、操作者は操作者用個人端末４を操作する際、追加されたデータベースから必要な操作部情報のみを取得し、操作者用個人端末４によって再生や表示等を行うことができる。
【００６７】
また、本発明の実施の形態では、ＩＣタグリーダ３と操作者用個人端末４とがケーブル（図示せず）によって接続されていたが、本発明はこれに限らず、無線によってＩＣタグリーダ３と操作者用個人端末４とが通信可能に接続されるようにしても良い。
【００６８】
この場合、例えば、ＩＣタグリーダ３のＮＷＩ／Ｆ部３５は、無線ＬＡＮ（Local Area Network）による無線通信機能を有すると共に、ＩＣタグリーダ３と操作者用個人端末４との間に無線ＬＡＮによって無線通信を行うアクセスポイントを設けることにより、ＩＣタグリーダ３と操作者用個人端末４とが無線によって通信可能となる。
【００６９】
また或いは、ブルートゥース(Bluetooth)を用いることにより、アクセスポイントを介さずに、直接、無線によってＩＣタグリーダ３と操作者用個人端末４とが通信可能となるようにしても良い。
【００７０】
これにより、操作者は、ＩＣタグリーダ３を指先に装着して、取得したい操作部の操作キー１にかざすことにより、取得したい各種操作部情報を取得することができる。
【００７１】
また、本発明の実施の形態では、無線ＩＣタグ２から各種の操作部情報を取得して、操作者用個人端末４で出力するようになっていたが、本発明はこれに限らず、１つの操作部情報から他のファイル形式に変換して、再生や表示するようにしても良い。
【００７２】
この場合、具体的には例えば、動画で操作方法を説明する動画情報と、操作方法を音声で再生する音声情報とを１つの情報ファイルとして変換可能に保存することにより、操作者用個人端末４の主演算部６によって適宜その情報ファイルを変換し、情報伝達部８で再生を行うことができる。
【００７３】
このように操作部情報を変換可能に保存することにより、操作部情報を共有することができるので、無線ＩＣタグ２のＥＥＰＲＯＭ２５や操作者用個人端末４の情報データベース７などに保存する各種操作部情報の情報量を削減することができる。
【００７４】
これにより、予め一定の容量しか持たない無線ＩＣタグ２のＥＥＰＲＯＭ２５や操作者用個人端末４の情報データベース７に、他の操作部情報や関連する操作部情報などの多くの情報を追加して保存することができる。
【００７５】
なお、本実施の形態では、動画情報や音声情報、或いは操作マニュアルなどを再生／表示するようになっていたが、本発明はこれに限らず、操作者に対して知覚可能に出力できれば良い。
【００７６】
更に、本実施の形態では、ステップＳ２３、ステップＳ２５、及びステップＳ２７において、操作者が各種の操作部情報を再生／表示する操作によって、主演算部６が情報伝達部８を介して操作者に知覚させるようになっていたが、本発明はこれに限らず、予め操作者に知覚させる出力方法を決定しておき、操作部情報を取得すると、自動的に操作者に出力するようにしても良い。
【００７７】
具体的には例えば、操作キー１に設けられた無線ＩＣタグ２にＩＣタグリーダ３をかざすことにより、ＩＣタグリーダ３を介して操作者用個人端末４の情報伝達部８が、何をする操作キー１かを自動的に読み上げたり、或いは、液晶ディスプレイ（図示せず）に自動的にその操作部情報の動画を、再生するように設定すれば良い。
【００７８】
これにより、予め設定された伝達方法によって、無線ＩＣタグ２をかざすだけで自動的に操作者に対して知覚させることが可能になるため、操作者にとって最適な情報伝達方法により、情報を伝達することができる。
【００７９】
更にこの場合、伝達方法は、予め初期設定画面（図示せず）から伝達方法を設定するようにすれば良く、また選択画面（図示せず）や設定ボタン（図示せず）、或いは音声指示による設定変更手段を設けることにより、伝達方法の設定を操作者の意志に合わせて自由に変更することができる。
【００８０】
また更に、操作者用個人端末４において、操作者に出力する伝達方法の優先順位を設けるようにしても良い。これにより、操作者は、無線ＩＣタグ２に保存された各種の操作部情報の中から、優先順位に基づいて再生／表示することができるので、常に最適な伝達方法によって知覚することができる。
【００８１】
また、操作者用個人端末４において、操作者ごとに操作者を識別するログイン名とパスワードから特定される個人アカウントを用いることにより、操作者ごとに無線ＩＣタグ２の操作部情報を選択して出力するテーブルを用意するようにしても良い。
【００８２】
これにより、操作者用個人端末４を複数人の操作者で使用することができると共に、各操作者の希望する設定された伝達方法によって、各種の操作部情報を各操作者ごとに出力することができる。
【図面の簡単な説明】
【００８３】
【図１】本発明の第１の実施の形態の構成を示す操作部情報取得システムのブロック図である。
【図２】本発明の第１の実施の形態における無線ＩＣタグを示す回路構成図である。
【図３】本発明の第１の実施の形態におけるＩＣタグリーダを示す回路構成図である。
【図４】本発明の第１の実施の形態における無線ＩＣタグの動作を示すフローチャートである。
【図５】本発明の第１の実施の形態における操作者用個人端末４の動作を示すフローチャートである。
【符号の説明】
【００８４】
１  操作キー
２  無線ＩＣタグ
３  ＩＣタグリーダ
４  操作者用個人端末４
５  情報収集部
６  主演算部
７  情報データベース
８  情報伝達部
２１  ＣＰＵ
２２  ＲＯＭ
２３  ＲＡＭ
２４  ＲＦＩ／Ｆ部
２５  ＥＥＰＲＯＭ
２６  バス
３１  ＣＰＵ
２２  ＲＯＭ
３３  ＲＡＭ
３４  ＲＦＩ／Ｆ部
３５  ＮＷＩ／Ｆ部
３６  バス
【図１】
2008033770.tif 000003
【図２】
2008033770.tif 000004
【図３】
2008033770.tif 000005
【図４】
2008033770.tif 000006
【図５】
2008033770.tif 000007